(57)【要約】【課題】温度と電圧以外の種々の環境条件（湿度、粉塵、抵抗、振動、音、臭い、通電時間、視覚）に対して障害処理が行える計算機システムを提供する。さらに、ある環境による障害時、中央処理装置を通さず、直接、設備側外部装置を起動することによって、障害対策を迅速に開始できる計算機システムを提供する。【解決手段】温度、電圧の各センサに加えて、湿度、粉塵、抵抗、振動、音、臭い、通電時間計測、視覚の各センサを、計算機システムに組み入れ、サービスプロセッサが中央処理装置に通知し、対応する障害処理を行なう。又、温度と湿度は異常時、センサが直接、設備側外部装置を起動する。【選択図】図１
2011145723.tif 000002
【特許請求の範囲】
【請求項１】
中央処理装置と、該中央処理装置と接続され、該中央処理装置とは独立に動作し、保守動作を行なうサービスプロセッサと、該サービスプロセッサと接続され、計算機システム内の種々センサの状態を保持するハードウエアモニタから成り、前記サービスプロセッサが、定期的に前記ハードウエアモニタに格納されているセンサ状態を読み、異常なものがあれば、その内容を、前記サービスプロセッサの持つ外部メモリに障害ログという形で保管し、前記中央処理装置上で動く、障害処理プログラムが定期的に、前記障害ログを読み、もし新しい障害が記録されていたら、その内容に応じた障害処理ルーチンを実行する計算機システムにおいて、温度センサ、電圧センサに加えて、湿度センサ、粉塵センサ、抵抗センサ、振動センサ、音センサ、臭いセンサ、通電時間計測センサ、視覚センサのいずれかを有することを特長とする障害処理方式。
【請求項２】
中央処理装置と、該中央処理装置と接続され、該中央処理装置とは独立に動作し、保守動作を行なうサービスプロセッサと、該サービスプロセッサと接続され、計算機システム内の種々センサの状態を保持するハードウエアモニタと空調機から成り、前記サービスプロセッサが、定期的に前記ハードウエアモニタに格納されているセンサ状態を読み、異常なものがあれば、その内容を、前記サービスプロセッサの持つ外部メモリに障害ログという形で保管し、前記中央処理装置上で動く、障害処理プログラムが定期的に、前記障害ログを読み、もし新しい障害が記録されていたら、その内容に応じた障害処理ルーチンを実行する計算機システムにおいて、温度センサと空調機とその間を結ぶインタフェースを有し、該センサが異常を検知したとき、該インタフェースを用いて通知をし、空調機の冷房機構を起動することによって、異常発生から対策開始の間の時間を短縮する障害処理方式。
【請求項３】
中央処理装置と、該中央処理装置と接続され、該中央処理装置とは独立に動作し、保守動作を行なうサービスプロセッサと、該サービスプロセッサと接続され、計算機システム内の種々センサの状態を保持するハードウエアモニタと除湿機から成り、前記サービスプロセッサが、定期的に前記ハードウエアモニタに格納されているセンサ状態を読み、異常なものがあれば、その内容を、前記サービスプロセッサの持つ外部メモリに障害ログという形で保管し、前記中央処理装置上で動く、障害処理プログラムが定期的に、前記障害ログを読み、もし新しい障害が記録されていたら、その内容に応じた障害処理ルーチンを実行する計算機システムにおいて、湿度センサと除湿機とその間を結ぶインタフェースを有し、該センサが異常を検知したとき、該インタフェースを用いて通知をし、除湿機の除湿機構を起動することによって、異常発生から対策開始の間の時間を短縮する障害処理方式。
【発明の詳細な説明】
【技術分野】
【０００１】
本発明は、計算機システムにおいて、従来の温度、電圧値以外に、種々の環境条件を用いて、計算機システムの信頼性を向上させる障害処理方式と、環境センサが、直接、設備側外部装置を起動して障害対策を迅速化する障害処理方式に関する。
【背景技術】
【０００２】
計算機システムの障害の要因には、ハードウエア部品の壊れ以外に、環境がある。その代表的なものが温度と電圧値である。図3に従来技術である、特開平4-167030の計算機システムを示す。中央処理装置90において、障害検出手段91が障害を検出し、診断インタフェース110を介して、サービスプロセッサ100内の障害ログ収集手段101に障害発生を報告し、この報告により障害ログ収集手段101は障害ログの収集を行なう。また同時に環境情報手段102に対して、情報収集を依頼し、依頼を受けた環境情報収集手段102は、温度検出手段103を用いて温度を、電圧値検出手段104を用いて電圧値を収集する。障害ログと環境情報が収集された時点で障害ログ収集手段101がファイル120に図中の障害ログ121,環境情報122を格納する。障害原因を解析する際には、出力手段130を用いて、ファイル120から障害ログ121と環境情報122を取り出し、解析作業に用いる。これによって、温度または電圧値が原因である障害に対処できる。
【先行技術文献】
【特許文献】
【０００３】
【特許文献１】特開平4-167030
【発明の概要】
【発明が解決しようとする課題】
【０００４】
計算機システムに障害をもたらす環境条件は、背景技術に記載されている温度と電圧だけではなく、右記のものがある。(1)湿度：例えば、高すぎると結露して、水が装置内に付着してショートを引き起こす。(2)粉塵：例えば、多すぎると、その中に含まれている金属が、装置内に付着してショートを引き起こす。(3)抵抗：例えば、導通している2点間の抵抗値は、酸化が進むと高くなり、オープンと等価な現象を引き起こす。(4)振動：例えば、ディスク、ファン等の回転体は、寿命が近づくと部品のガタつきが起き、異常動作の原因となる。この兆候は振動が大きくなることで現れる。(5)音：例えば、ディスクの寿命が近づくと、ベアリングの潤滑剤が一部きれて、異常動作の原因となる。この兆候は、騒音が発生することで現れる。(6)臭い：例えば、装置内でショートによる加熱が起きると、基板材料が燃えだすことがある。この兆候は、異臭が発生することで現れる。(7)有寿命品の通電時間：有寿命品は、目安となる通電時間を過ぎたら、磨耗障害を防ぐために、交換する必要がある。 (8)視覚：例えば、電極に緑青が発生すると、抵抗値が高くなり、オープンと等価な現象を引き起こす。これは、外観の変化という形で現れる。本発明が解決しようとする課題の1つは、「温度と電圧以外の種々の環境条件(上記(1)〜(8))に対して障害処理が行えるようにする」ことである。さらに、背景技術では、ファイルに格納された障害情報を元に、中央処理装置が障害処理を行うため、対策開始が遅くなるという問題がある。本発明が解決しようとするもう１つの課題は、「ある環境による障害時、中央処理装置を通さず、直接、設備側外部装置を起動することによって、障害対策を迅速に開始すること」である。
【課題を解決するための手段】
【０００５】
上記の「温度と電圧以外の種々の環境条件に対して障害処理が行えるようにする」という課題を解決するために、本発明では、温度センサ、電圧センサに加えて、(1) 湿度センサ、(2) 粉塵センサ、(3) 抵抗センサ、(4)振動センサ、(5)音センサ、(6)臭いセンサ、(7)通電時間計測センサ、(8)視覚センサを、計算機システムに組み入れ、該センサが異常値を示したときには、該センサ群に接続しているハードウエアモニタが、対応する障害レジスタをセットする。計算機システムの保守動作を行なうサービスプロセッサが、定期的に該障害レジスタの値を読む。該障害レジスタがセットされていれば、障害ログを、該サービスプロセッサの外部メモリに格納する。計算機システムの中央処理装置で動作している障害監視プログラムが、定期的に該障害ログを読み出して、対応要のものがあったときは、障害処理を行なう。
【０００６】
上記の、「ある環境による障害時、中央処理装置を通さず、直接、設備側外部装置を起動することによって、障害対策を迅速に開始すること」という課題を解決するために、本発明では、上記温度センサと湿度センサから、それぞれ、空調機と除湿機という設備側外部装置にLANインタフェースを張り、それぞれのセンサが異常を検出したときは、LANインタフェース経由で空調機の冷房機構と除湿機の除湿機構を動作させ、即時障害対策を始める。
【発明の効果】
【０００７】
本発明は、計算機システムに障害をもたらしうる環境条件であって、障害処理を行うものに、従来の温度、電圧に、(1)湿度,(2)粉塵,(3)抵抗,(4)振動,(5)音,(6)臭い,(7)通電時間,(8)視覚を加えたことで、従来は対処できなかった環境条件による障害に対処できるようになるという効果がある。また、温度センサと湿度センサから、それぞれ、空調機と除湿機にLANインタフェースを張って、センサが異常を検出したら、即時に冷房と除湿という障害対策を開始できるようになるという効果がある。
【図面の簡単な説明】
【０００８】
【図１】本発明による障害処理方式の一実施例を示すブロック図
【図２】図1内の「ハードウエアモニタ」の構造を示すブロック図
【図３】従来技術である、特開平4-167030の計算機システムを示すブロック図
【図４】図1内のセンサ#1である「温度センサ」の一実施例を示すブロック図
【図５】図1内のセンサ#10である「視覚センサ」の一実施例を示すブロック図
【図６】図1内の「空調機」の構造を示すブロック図
【図７】図1内の「除湿機」の構造を示すブロック図
【発明を実施するための形態】
【０００９】
図1は、本発明の一実施例を示すブロック図である。以後、第1図全体を「計算機システム」と呼ぶことにする。中央処理装置10は、ユーザのプログラムを実施するだけでなく、OSにより計算機システム全体の動きを制御する。サービスプロセッサ20は、中央処理装置10とは独立なプロセッサであり、計算機システムの保守機能を担当する。中央処理装置10とサービスプロセッサ20はLANまたはBUSインタフェース30経由で通信を行なう。サービスプロセッサ20は、外部メモリ40を有し、外部メモリ40には、計算機システム内で発生した障害のログ41が格納される。ハードウエアモニタ60は、センサ群70内の各センサの状態を保持する。空調機140、除湿機150は、設備側外部装置である。サービスプロセッサ20とハードウエアモニタ60との間の通信はBUSインタフェース50経由で行なわれる。
【００１０】
図2は、ハードウエアモニタ60の構造を示す。ハードウエアモニタ60は、センサ群70内の各センサ対応に障害レジスタを持つ。各センサは、異常を検知すると、セット信号を出す。そのセット信号により、各障害レジスタが“１”にセットされる。たとえば、センサ#1 71からのセット信号711が出ると、センサ#1 71に対応した障害レジスタ61が“１”にセットされる。各障害レジスタの値はBUSインタフェース50に乗る。障害レジスタは全て、計算機システム全体のリセット信号80によって”0”にリセットされる。
【００１１】
サービスプロセッサ20上で動作する障害検出プログラムは、定期的にハードウエアモニタ60内の障害レジスタ61-610を読み出す。該障害レジスタ中に”1”にセットされているものがあれば、外部メモリ40内の障害ログ41に記録する。中央処理装置10上で動作する障害処理プログラムは、定期的に外部メモリ40内の障害ログ41を読み出す。もし新しい障害が記録されていたら、その内容に応じた障害処理ルーチンを実行する。
【００１２】
センサ#1 71は温度センサである。図4に温度センサの構成例を示す。温度の計測部712の値と、閾値保存部713に保存された閾値を、比較部714で比較する。計測部712の値が閾値の範囲外だったら、信号生成部715がセット信号711を出力するとともに、LANインタフェース716を通して、障害通知信号717を出力する。
【００１３】
センサ#2 72は電圧センサである。センサ#3 73は湿度センサである。センサ#4 74は粉塵センサである。センサ#5 75は抵抗センサである。センサ#6 76は振動センサである。センサ#7 77は音センサである。センサ#8 78は臭いセンサである。センサ#9 79は通電時間計測センサである。上記センサ#2〜9は図4の計測部712の部分を、それぞれの計測物の計測部に置き換えたものなので、図は省略する。
【００１４】
センサ#10 710は視覚センサである。図5に視覚センサの構成例を示す。撮影された写真は、写真ファイル7102に格納される。写真ファイル7102に格納された写真は、正常パターン保存部7103に保存された正常パターンと、パターンマッチング部7104でマッチングされ、「異常」と判定された場合は、信号生成部7105がセット信号7101を出力すると、ともに、LANインタフェース7106を通して、障害通知信号7107を出力する。
【００１５】
図6の空調機140は、センサ#1 71の温度センサからの障害通信信号717がオンになると、冷房機構142を起動して、計算機システムの温度を下げる。
【００１６】
図7の除湿機150は、センサ#3 73の湿度センサからの障害通信信号737がオンになると、除湿機構152を起動して、計算機システムの湿度を下げる。
【符号の説明】
【００１７】
10 中央処理装置
100 サービスプロセッサ
101 障害ログ収集手段
102 環境情報収集手段
103 温度検出手段
104 電圧値検出手段
110 診断インタフェース
120 ファイル
121 障害ログ
122 環境情報
130 出力手段
140 空調機
141 スイッチ
142 冷房機構
150 除湿機
151 スイッチ
152 除湿機構
20 サービスプロセッサ
30 LANまたはBUSインタフェース
40 外部メモリ
41 障害ログ
50 BUSインタフェース
60 ハードウエアモニタ
61 障害レジスタ
62 障害レジスタ
63 障害レジスタ
64 障害レジスタ
65 障害レジスタ
66 障害レジスタ
67 障害レジスタ
68 障害レジスタ
69 障害レジスタ
610 障害レジスタ
70 センサ群
71 センサ#1
710 センサ#10
7101 センサ#10 710からのセット信号
7102写真ファイル
7103 正常パターン保存部
7104 パターンマッチング部
7105 信号生成部
7106 LANインタフェース
7107 障害通知信号 
711 センサ#1 71からのセット信号
712 計測部
713 閾値保存部
714 比較部
715 信号生成部
716 LANインタフェース
717センサ#1 71からの障害通知信号
72 センサ#2
721 センサ#2 72 からのセット信号
73 センサ#3
731 センサ#3 73 からのセット信号
737 センサ#3 73からの障害通知信号
74 センサ#4
741 センサ#4 74 からのセット信号
75 センサ#5
751 センサ#5 75 からのセット信号
76 センサ#6
761 センサ#6 76 からのセット信号
77 センサ#7
771 センサ#7 77 からのセット信号
78 センサ#8
781 センサ#8 78 からのセット信号
79 センサ#9
791 センサ#9 79 からのセット信号
80 計算機システム全体のリセット信号
90 中央処理装置
91 障害検出手段
【図１】
2011145723.tif 000003
【図２】
2011145723.tif 000004
【図３】
2011145723.tif 000005
【図４】
2011145723.tif 000006
【図５】
2011145723.tif 000007
【図６】
2011145723.tif 000008
【図７】
2011145723.tif 000009